(57)【要約】【課題】取り扱いが容易であるとともに、防水性を確保でき、構成を簡略化できる照明器具を提供する。【解決手段】光源１１を収容する灯具１２と、灯具１２と被固定部１３とを連結するアーム１４と、灯具１２と被固定部１３との間に設けられた金属製の落下防止部材１５と、を備えている。灯具１２と被固定部１３との間に、金属製の落下防止部材１５が設けられているので、直径の大なるひも状部材を使用する必要がなく、取り扱い性が向上する。また、落下防止部材１５がアーム１４の内側に配置されているので、防水性を確保でき、構成を簡略化できる。【選択図】図１
2012226941.tif 000002
【特許請求の範囲】
【請求項１】
光源を収容する灯具と、
前記灯具と、前記灯具を固定する被固定部とを連結するアームと、
前記灯具と前記被固定部との間に設けられ、前記アームの内側に配置された金属製の落下防止部材と、
を備えた照明器具。
【請求項２】
請求項１記載の照明器具において、
前記落下防止部材は、前記アームよりも優れた耐食性を有する金属板によって形成されている照明器具。
【請求項３】
請求項１または２記載の照明器具において、
前記落下防止部材は弾性材料によって形成されている照明器具。
【請求項４】
請求項１ないし請求項３のうちのいずれか１項に記載の照明器具において、
前記アームが断面コの字状に形成され、前記コの字における溝内に前記落下防止部材が配置されると共に、前記アームと前記落下防止部材との間の配線空間に、前記灯具の電線が配置されている照明器具。
【発明の詳細な説明】
【技術分野】
【０００１】
本発明は、照明器具に関する。
【背景技術】
【０００２】
従来、光源を収容した灯具の落下を防止するため、灯具と、灯具を固定する被固定部との間に、ひも状部材を設けた照明器具が知られている（例えば、特許文献１参照）。
【先行技術文献】
【特許文献】
【０００３】
【特許文献１】特開２００８−３０５７６８号公報（段落００２０、図３）
【発明の概要】
【発明が解決しようとする課題】
【０００４】
しかしながら、 従来の照明器具は、灯具の全重量をひも状部材によって受けるため、ひも状部材の直径を大としなければならず、取り扱いが面倒になるという問題があった。また、ひも状部材を装置の内部に通すため、防水性の確保が困難になるとともに、構成が複雑になるという問題があった。
【０００５】
本発明は、取り扱いが容易であるとともに、防水性を確保でき、構成を簡略化できる照明器具を提供することにある。
【課題を解決するための手段】
【０００６】
本発明は、光源を収容する灯具と、前記灯具と前記灯具を固定する被固定部とを連結するアームと、前記灯具と前記被固定部との間に設けられ、前記アームの内側に配置された金属製の落下防止部材と、を備えている。
【０００７】
ここで、前記落下防止部材は、前記アームよりも優れた耐食性を有する金属板によって形成されている。
【０００８】
また、前記落下防止部材は、弾性材料によって形成されている。
【０００９】
また、前記アームは、断面がコの字状に形成され、前記コの字における溝内に前記落下防止部材が配置されるとともに、前記アームと前記落下防止部材との間に、前記灯具の配線が配置されている。
【発明の効果】
【００１０】
本発明によれば、灯具と被固定部との間に、落下防止部材が設けられているので、直径の大なるひも状部材を使用する必要がなく、取り扱い性が向上する。また、落下防止部材が灯具と被固定部との間に配置されているので、灯具および被固定部の防水性を確保でき、構成を簡略化できる。
【図面の簡単な説明】
【００１１】
【図１】本発明に係る実施形態の照明器具を示す縦断側面図
【図２】図１のＡ−Ａ断面図
【図３】実施形態の照明器具を示す斜視図
【図４】実施形態の落下防止部材を示す縦断側面図
【図５】図４のＢ矢視図
【図６】図３のＣ−Ｃ断面図
【発明を実施するための形態】
【００１２】
以下、本発明に係る実施形態の照明器具について、図面を参照して説明する。
図１は、本発明に係る実施形態の照明器具１０を示す。この照明器具１０は、光源１１が収容された灯具１２と、灯具１２と柱状の被固定部１３とを連結するアーム１４とを備えている。また、照明器具１０は、灯具１２と、被固定部１３との間に設けられ、アーム１４の内側に配置された金属製の落下防止部材１５を備えている。
【００１３】
次に、上記各構成要素について説明する。灯具１２は、光源１１を覆うセード１６を備えている。灯具１２の底部には、アーム１４に取り付けられる灯具台１７を備えている。灯具１２のセード１６と灯具台１７との間には、セード１６の落下を防止するひも状部材１８が設けられている。
【００１４】
アーム１４は、図２に示すように、横断平面視において内向きの略コ字状に形成され、図３に示すように、円周上に等間隔で複数設けられている。アーム１４の下部は、被固定部１３上に設けられたベース部１９の周囲に配置され、被固定部１３に固定されている。アーム１４の内側には、図１に示すように、落下防止部材１５が配置され、アーム１４と落下防止部材１５との間には、図２に示すように、電線２０が配置されている。本例では、落下防止部材１５は、一個設けられている。
【００１５】
落下防止部材１５は、アーム１４よりも優れた耐食性を有する弾性材料によって形成されている。この落下防止部材１５は、図４に示すように、縦断側面視において左向きの変形コ字状に形成されている。この落下防止部材１５は、図５に示すように、上片１５Ａが比較的狭幅に形成され、下片１５Ｂが上片１５Ａより広幅に形成されている。図１に示すように、落下防止部材１５における上片１５Ａは、灯具台１７の下面に一個のねじによって固定されている。また、図６に示すように、落下防止部材１５の下片１５Ｂは、二個のねじによってベース部１９の上面に固定されている。
【００１６】
本実施形態の照明器具１０によれば、灯具１２と被固定部１３との間に金属製の落下防止部材１５が設けられているため、従来のように、灯具１２と被固定部１３とを直径が大なるひも状部材によって繋ぐ必要がなく、取り扱い性が向上する。また、灯具１２および被固定部１３の防水性を確保でき、構成を簡略化できる。
【００１７】
また、落下防止部材１５は、アーム１４よりも優れた耐食性を有する材料によって形成されているため、アーム１４が腐食等によって損傷しても、落下防止部材１５が損傷するのを抑制し、灯具１２が落下するのを抑制できる。
【００１８】
また、落下防止部材１５は、弾性材料によって形成されているため、アーム１４の変形に追随できる。
【００１９】
さらに、アーム１４が、縦断側面視においてコの字状に形成され、コの字における溝内に落下防止部材１５が配置されるとともに、アーム１４と落下防止部材１５との間に、灯具１２の電線２０が配置されている。従って、電線２０を保護できる。
【符号の説明】
【００２０】
１０  照明器具
１１  光源
１２  灯具
１３  被固定部
１４  アーム
１５  落下防止部材
１５Ａ  上片
１５Ｂ  下片
１６  セード
１７  灯具台
１８  ひも状部材
１９  ベース部
２０  電線
【図１】
2012226941.tif 000003
【図２】
2012226941.tif 000004
【図３】
2012226941.tif 000005
【図４】
2012226941.tif 000006
【図５】
2012226941.tif 000007
【図６】
2012226941.tif 000008